(57)【要約】【課題】  塵埃等の侵入を低減する。【解決手段】  フロントパネル部を有する外筐と、外筐の内部に配置され鏡筒と鏡筒の内部に配置された少なくとも一つのレンズとを有するレンズユニットと、鏡筒に取り付けられた環状のカバー部材とを備え、レンズユニットが光軸に直交する第１の支点軸の軸回り方向と光軸及び第１の支点軸にともに直交する第２の支点軸の軸回り方向とにぶれ補正を行うために外筐に対して回動可能とされ、カバー部材がレンズユニットにおける最も物体側に配置されたレンズの外周側においてフロントパネル部に対向して位置され、カバー部材のフロントパネル部に対向する側の面が第１の支点軸と第２の支点軸の交点を中心とした球面に形成された。【選択図】        図９
2013138377.tif 000002
【特許請求の範囲】
【請求項１】
フロントパネル部を有する外筐と、
前記外筐の内部に配置され鏡筒と前記鏡筒の内部に配置された少なくとも一つのレンズとを有するレンズユニットと、
前記鏡筒に取り付けられた環状のカバー部材とを備え、
前記レンズユニットが光軸に直交する第１の支点軸の軸回り方向と前記光軸及び前記第１の支点軸にともに直交する第２の支点軸の軸回り方向とにぶれ補正を行うために前記外筐に対して回動可能とされ、
前記カバー部材が前記レンズユニットにおける最も物体側に配置された前記レンズの外周側において前記フロントパネル部に対向して位置され、
前記カバー部材の前記フロントパネル部に対向する側の面が前記第１の支点軸と前記第２の支点軸の交点を中心とした球面に形成された
撮像装置。
【請求項２】
前記フロントパネル部に前記カバー部材側へ突出された環状のリブを設けた
請求項１に記載の撮像装置。
【請求項３】
前記レンズユニットの前記第１の支点軸を支点とした回動範囲において、
前記リブの先端が前記カバー部材に対向して位置された
請求項２に記載の撮像装置。
【請求項４】
前記レンズユニットの前記第２の支点軸を支点とした回動範囲において、
前記リブの先端が前記カバー部材に対向して位置された
請求項２に記載の撮像装置。
【請求項５】
前記カバー部材の外周が円弧状の一対の曲線部と前記一対の曲線部間にそれぞれ位置された一対の直線部とによって構成された
請求項１に記載の撮像装置。
【請求項６】
前記フロントパネル部の前記カバー部材に対向する面に前記カバー部材で反射される光を拡散する拡散部を形成した
請求項１に記載の撮像装置。
【発明の詳細な説明】
【技術分野】
【０００１】
本技術は撮像装置についての技術分野に関する。詳しくは、フロントパネル部に対向して位置されるカバー部材のフロントパネル部に対向する側の面をレンズユニットの回動中心を中心とした球面に形成して塵埃等の侵入を低減する技術分野に関する。
【背景技術】
【０００２】
ビデオカメラやスチルカメラ等の撮像装置には、鏡筒の内部に配置されたレンズを有するレンズユニットが外筐の内部に設けられ、レンズユニットが外筐に対して回動されてぶれ補正が行われるように構成されたものがある（例えば、特許文献１参照）。
【０００３】
外筐にはフロントパネル部が設けられ、フロントパネル部の後側にレンズユニットが配置されている。
【０００４】
このような撮像装置にあっては、外筐に存在する隙間や穴から塵埃や異物が外筐の内部に侵入するおそれがある。外筐の内部に塵埃等が侵入しレンズに付着したりレンズユニットの内部に入り込んでしまうと、撮影した画像に塵埃等の影が写る等の不具合が生じる可能性があるため、レンズへの塵埃等の付着を防止することが必要とされる。
【０００５】
【特許文献１】特開２０１１−１５８８２９号公報
【発明の開示】
【発明が解決しようとする課題】
【０００６】
ところで、上記のようなレンズユニットが回動されてぶれ補正を行う撮像装置にあっては、レンズユニットが外筐に対して回動されるため、レンズユニットの回動位置に応じてフロントパネル部の内面と鏡筒の前面との隙間の大きさが変化し易い。
【０００７】
従って、レンズユニットの回動位置によっては、フロントパネル部の内面と鏡筒の前面との隙間が大きくなってしまい、この隙間から塵埃等が侵入して塵埃等がレンズの表面に付着したりレンズユニットの内部に入り込んでしまうおそれがある。
【０００８】
そこで、本技術撮像装置は、上記した問題点を克服し、塵埃等の侵入を低減することを課題とする。
【課題を解決するための手段】
【０００９】
第１に、撮像装置は、上記した課題を解決するために、フロントパネル部を有する外筐と、前記外筐の内部に配置され鏡筒と前記鏡筒の内部に配置された少なくとも一つのレンズとを有するレンズユニットと、前記鏡筒に取り付けられた環状のカバー部材とを備え、前記レンズユニットが光軸に直交する第１の支点軸の軸回り方向と前記光軸及び前記第１の支点軸にともに直交する第２の支点軸の軸回り方向とにぶれ補正を行うために前記外筐に対して回動可能とされ、前記カバー部材が前記レンズユニットにおける最も物体側に配置された前記レンズの外周側において前記フロントパネル部に対向して位置され、前記カバー部材の前記フロントパネル部に対向する側の面が前記第１の支点軸と前記第２の支点軸の交点を中心とした球面に形成されたものである。
【００１０】
従って、撮像装置にあっては、レンズユニットの回動位置に拘わらずカバー部材とフロントパネル部の隙間が一定に保たれる。
【００１１】
第２に、上記した撮像装置においては、前記フロントパネル部に前記カバー部材側へ突出された環状のリブを設けることが望ましい。
【００１２】
フロントパネル部にカバー部材側へ突出された環状のリブを設けることにより、リブによってフロントパネル部とカバー部材の隙間が小さくされる。
【００１３】
第３に、上記した撮像装置においては、前記レンズユニットの前記第１の支点軸を支点とした回動範囲において、前記リブの先端が前記カバー部材に対向して位置されることが望ましい。
【００１４】
レンズユニットの第１の支点軸を支点とした回動範囲において、リブの先端がカバー部材に対向して位置されることにより、レンズユニットの第１の支点軸を支点とした回動位置に拘わらずリブの先端がカバー部材に対向して位置される。
【００１５】
第４に、上記した撮像装置においては、前記レンズユニットの前記第２の支点軸を支点とした回動範囲において、前記リブの先端が前記カバー部材に対向して位置されることが望ましい。
【００１６】
レンズユニットの第２の支点軸を支点とした回動範囲において、リブの先端がカバー部材に対向して位置されることにより、レンズユニットの第１の支点軸を支点とした回動位置に拘わらずリブの先端がカバー部材に対向して位置される。
【００１７】
第５に、上記した撮像装置においては、前記カバー部材の外周が円弧状の一対の曲線部と前記一対の曲線部間にそれぞれ位置された一対の直線部とによって構成されることが望ましい。
【００１８】
カバー部材の外周が円弧状の一対の曲線部と一対の曲線部間にそれぞれ位置された一対の直線部とによって構成されることにより、一対の直線部によって一対の直線部が並ぶ方向における寸法が小さくされる。
【００１９】
第６に、上記した撮像装置においては、前記フロントパネル部の前記カバー部材に対向する面に前記カバー部材で反射される光を拡散する拡散部を形成することが望ましい。
【００２０】
フロントパネル部のカバー部材に対向する面にカバー部材で反射される光を拡散する拡散部を形成することにより、カバー部材でフロントパネル部側へ反射された光が拡散部によって拡散される。
【発明の効果】
【００２１】
本技術撮像装置は、フロントパネル部を有する外筐と、前記外筐の内部に配置され鏡筒と前記鏡筒の内部に配置された少なくとも一つのレンズとを有するレンズユニットと、前記鏡筒に取り付けられた環状のカバー部材とを備え、前記レンズユニットが光軸に直交する第１の支点軸の軸回り方向と前記光軸及び前記第１の支点軸にともに直交する第２の支点軸の軸回り方向とにぶれ補正を行うために前記外筐に対して回動可能とされ、前記カバー部材が前記レンズユニットにおける最も物体側に配置された前記レンズの外周側において前記フロントパネル部に対向して位置され、前記カバー部材の前記フロントパネル部に対向する側の面が前記第１の支点軸と前記第２の支点軸の交点を中心とした球面に形成されている。
【００２２】
従って、レンズユニットの回動位置に拘わらずフロントパネル部とカバー部材の隙間が変化されることがなく、塵埃や異物の侵入を低減することができる。
【００２３】
請求項２に記載した技術にあっては、前記フロントパネル部に前記カバー部材側へ突出された環状のリブを設けている。
【００２４】
従って、リブによってフロントパネル部とカバー部材の隙間が小さくされ、塵埃等の侵入を一層低減することができる。
【００２５】
請求項３に記載した技術にあっては、前記レンズユニットの前記第１の支点軸を支点とした回動範囲において、前記リブの先端が前記カバー部材に対向して位置されている。
【００２６】
従って、レンズユニットの第１の支点軸を支点とした回動位置に拘わらず塵埃等の侵入を低減することができる。
【００２７】
請求項４に記載した技術にあっては、前記レンズユニットの前記第２の支点軸を支点とした回動範囲において、前記リブの先端が前記カバー部材に対向して位置されている。
【００２８】
従って、レンズユニットの第２の支点軸を支点とした回動位置に拘わらず塵埃等の侵入を低減することができる。
【００２９】
請求項５に記載した技術にあっては、前記カバー部材の外周が円弧状の一対の曲線部と前記一対の曲線部間にそれぞれ位置された一対の直線部とによって構成されている。
【００３０】
従って、一対の直線部によって一対の直線部が並ぶ方向における寸法が小さくされており、撮像装置の小型化を図ることができる。
【００３１】
請求項６に記載した技術にあっては、前記フロントパネル部の前記カバー部材に対向する面に前記カバー部材で反射される光を拡散する拡散部を形成している。
【００３２】
従って、カバー部材で反射された光のフロントパネル部での再反射によるレンズへの入射が防止され、撮影される画像の品質の向上を図ることができる。
【発明を実施するための最良の形態】
【００３３】
以下に、本技術撮像装置及びレンズフードを実施するための最良の形態を添付図面に従って説明する。
【００３４】
以下に示した最良の形態は、本技術撮像装置をビデオカメラに適用したものである。尚、本技術の適用範囲はビデオカメラに限られることはなく、例えば、スチルカメラや他の機器に組み込まれるカメラ等の各種の撮像装置に広く適用することができる。
【００３５】
以下の説明にあっては、ビデオカメラの撮影時において撮影者から見た方向で前後上下左右の方向を示すものとする。従って、被写体側が前方となり、撮影者側が後方となる。
【００３６】
尚、以下に示す前後上下左右の方向は説明の便宜上のものであり、本技術の実施に関しては、これらの方向に限定されることはない。
【００３７】
［撮像装置の構成］
撮像装置１は外筐２の内外に所要の各部が配置されて成る（図１及び図２参照）。外筐２は、例えば、縦長のケース状に形成され、前端部がフロントパネル部３として設けられ、後端部における上端部が後方に開口された収納ケース部４として設けられている。
【００３８】
外筐２の上面２ａにはマイクロフォン５、５、インターフェースカバー６及び操作スイッチ７、７が前側から順に配置されている。操作スイッチ７、７は、例えば、ズームレバーと撮影釦である。
【００３９】
外筐２の一方の側面２ｂには電源釦、画像再生釦等の各種の操作釦８、８、・・・が配置されている。外筐２の一方の側面２ｂにはメモリーカード９が装着される。
【００４０】
外筐２の後面２ｃにはモード切替釦や録画釦等の操作釦１０、１０が配置されている。
【００４１】
外筐２の後面にはバッテリー１１が装着され、バッテリー１１は一部が外筐２の後面２ｃより後方へ突出される。
【００４２】
フロントパネル部３は略円環状に形成された枠状部１２と枠状部１２の内側において前後方向を向く前面部１３と前面部１３から後方へ突出された環状のリブ１４とを有している。
【００４３】
枠状部１２の上端部にはフラッシュ１５が配置されている。フラッシュ１５は夜間撮影時等に用いられ、フラッシュ１５からは補助光が前方へ向けて出射される。
【００４４】
前面部１３には矩形の開口１３ａが形成されている。前面部１３の後面（内面）におけるリブ１４の内側の部分には、拡散部１３ｂが形成されている。拡散部１３ｂは、例えば、前面部１３の後面にシボ加工、黒色等の暗色塗装、レンズステップ形状等が施されることにより形成されている。
【００４５】
リブ１４は開口１３ａの外周側に設けられ、円環状に形成されている。
【００４６】
外筐２の側面部には表示部１６が回動自在かつ回転自在に連結されている。表示部１６は前端部が外筐２に連結され、表示面１６ａを有している。
【００４７】
撮像装置１の後端部にはファインダー１７が連結され、ファインダー１７は収納ケース部４に対して前後方向へスライド可能とされている。
【００４８】
ファインダー１７は、図４乃至図６に示すように、前後方向に延びるスライド支持部１８とスライド支持部１８の後端部に取り付けられた接眼枠部１９とを有している。スライド支持部１８の上面には操作部２０として、例えば、視度調整用ダイヤルが配置されている。
【００４９】
ファインダー１７は接眼枠部１９を除いた部分が収納ケース部４に収納される収納位置（図４参照）とスライドされて収納ケース部４から引き出される引出位置（図５参照）との間でスライド可能とされている。また、ファインダー１７は引出位置においてスライド支持部１８の前端部を支点としてチルト方向へ回動可能とされている（図６参照）。
【００５０】
外筐２の内部にはレンズユニット２１が配置されている（図３及び図７参照）。レンズユニット２１は鏡筒２２と鏡筒２２の内部に配置された複数のレンズ２３、２３、・・・とを有している。
【００５１】
レンズユニット２１は外筐２の内部において上下方向に延びる第１の支点軸２４を支点として略左右方向へぶれ補正を行うために回動可能とされると共に左右方向に延びる第２の支点軸２５を支点として略上下方向へぶれ補正を行うために回動可能とされている。第１の支点軸２４と第２の支点軸２５は軸方向における中央部が交差され、交差された点が交点２６とされている。
【００５２】
鏡筒２２の前面部には最も像側に位置するレンズ２３が配置されている。鏡筒２２の前面部には環状のカバー部材２７が最も像側に位置するレンズ２３の外周側に取り付けられている。
【００５３】
カバー部材２７は外周がそれぞれ外方へ凸の円弧状の一対の曲線部２７ａ、２７ａと曲線部２７ａ、２７ａ間にそれぞれ位置された一対の直線部２７ｂ、２７ｂとによって構成されている。曲線部２７ａ、２７ａはそれぞれ左右に位置され、直線部２７ｂ、２７ｂはそれぞれ上下に位置されて左右方向へ延びる状態とされている。
【００５４】
このようにカバー部材２７は外周が円弧状の一対の曲線部２７ａ、２７ａと一対の直線部２７ｂ、２７ｂとによって構成され、直線部２７ｂ、２７ｂによって上下方向における寸法が小さくされており、撮像装置１の小型化を図ることができる。
【００５５】
カバー部材２７の開口はレンズ配置孔２７ｃとして形成され、レンズ配置孔２７ｃに最も像側に位置するレンズ２３が位置されている。
【００５６】
カバー部材２７の前面（外面）２８は前方へ凸の形状に形成され、第１の支点軸２４と第２の支点軸２５の交点２６を中心とした球面に形成されている。
【００５７】
カバー部材２７は、外筐２の内部にレンズユニット２１が配置された状態において、フロントパネル部３に設けられた円環状のリブ１４の先端面１４ａに前面２８が近接した状態で対向して位置されている（図３参照）。
【００５８】
［レンズユニットの回動動作時におけるカバー部材とフロントパネル部の位置関係］
以下に、レンズユニット２１の回動動作時におけるカバー部材２７とフロントパネル部３の位置関係について説明する（図８乃至図１０参照）。
【００５９】
レンズユニット２１がぶれ補正のために回動される前の状態においては、レンズユニット２１の光軸Ｐがフロントパネル部３の前面部１３に形成された開口１３ａの中心（中央）Ｍに一致されている（図８参照）。このときカバー部材２７はフロントパネル部３に設けられた円環状のリブ１４の先端面１４ａに前面２８が近接した状態とされ、先端面１４ａと前面２８の間隔がリブ１４の全周に亘って一定にされている。
【００６０】
レンズユニット２１がぶれ補正のために第１の支点軸２４を支点として略上下方向における一方又は第２の支点軸２５を支点として略左右方向における一方へ回動されると、カバー部材２７がリブ１４の先端面１４ａに沿って移動される（図９参照）。このときカバー部材２７の前面２８は第１の支点軸２４と第２の支点軸２５の交点２６を中心とした球面に形成されているため、先端面１４ａと前面２８の間隔がリブ１４の全周に亘って一定に保持される。
【００６１】
また、撮像装置１にあっては、レンズユニット２１が略上下方向における一方又は略左右方向における一方へ最大回動範囲まで回動された状態において、カバー部材２７がリブ１４の先端面１４ａに対向するように最大回動範囲及びカバー部材２７の大きさが設定されている。
【００６２】
レンズユニット２１がぶれ補正のために第１の支点軸２４を支点として略上下方向における他方又は第２の支点軸２５を支点として略左右方向における他方へ回動されると、カバー部材２７がリブ１４の先端面１４ａに沿って移動される（図１０参照）。このときカバー部材２７の前面２８は第１の支点軸２４と第２の支点軸２５の交点２６を中心とした球面に形成されているため、先端面１４ａと前面２８の間隔がリブ１４の全周に亘って一定に保持される。
【００６３】
また、撮像装置１にあっては、レンズユニット２１が略上下方向における他方又は略左右方向における他方へ最大回動範囲まで回動された状態において、カバー部材２７がリブ１４の先端面１４ａに対向するように最大回動範囲及びカバー部材２７の大きさが設定されている。
【００６４】
［撮像装置の一実施形態］
図１１に、本技術撮像装置の一実施形態によるビデオカメラのブロック図を示す。
【００６５】
撮像装置（ビデオカメラ）１００（撮像装置１に相当）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、撮像装置１００は、撮影された画像等を表示する液晶パネル等の画像表示部７３（表示部１６に相当）と、メモリーカード１０００（メモリーカード９に相当）への画像信号の書込及び読出を行うＲ／Ｗ（リーダ／ライタ）７４と、撮像装置１００の全体を制御するＣＰＵ（Central Processing Unit）７５と、ユーザーによって所要の操作が行われる各種のスイッチ等から成る入力部７６（操作スイッチ７、操作釦８、操作釦１０、操作部２０に相当）と、カメラブロック７０に配置されたレンズの駆動を制御するレンズ駆動制御部７７とを備えている。
【００６６】
カメラブロック７０は、レンズ群７８（レンズユニット２１に設けられたレンズ群に相当）を含む光学系や、ＣＣＤ（Charge Coupled Device）やＣＭＯＳ（Complementary Metal-Oxide Semiconductor）等の撮像素子７９等とによって構成されている。
【００６７】
カメラ信号処理部７１は、撮像素子７９からの出力信号に対するデジタル信号への変換、ノイズ除去、画質補正、輝度・色差信号への変換等の各種の信号処理を行う。
【００６８】
画像処理部７２は、所定の画像データーフォーマットに基づく画像信号の圧縮符号化・伸張復号化処理や解像度等のデーター仕様の変換処理等を行う。
【００６９】
画像表示部７３はユーザーの入力部７６に対する操作状態や撮影した画像等の各種のデーターを表示する機能を有している。
【００７０】
Ｒ／Ｗ７４は、画像処理部７２によって符号化された画像データーのメモリーカード１０００への書込及びメモリーカード１０００に記録された画像データーの読出を行う。
【００７１】
ＣＰＵ７５は、撮像装置１００に設けられた各回路ブロックを制御する制御処理部として機能し、入力部７６からの指示入力信号等に基づいて各回路ブロックを制御する。
【００７２】
入力部７６は、例えば、シャッター操作を行うためのシャッターレリーズボタンや、動作モードを選択するための選択スイッチ等によって構成され、ユーザーによる操作に応じた指示入力信号をＣＰＵ７５に対して出力する。
【００７３】
レンズ駆動制御部７７は、ＣＰＵ７５からの制御信号に基づいてレンズ群７８の各レンズを駆動する図示しないモータ等を制御する。
【００７４】
メモリーカード１０００は、例えば、Ｒ／Ｗ７４に接続されたスロットに対して着脱可能な半導体メモリーである。
【００７５】
以下に、撮像装置１００における動作を説明する。
【００７６】
撮影の待機状態では、ＣＰＵ７５による制御の下で、カメラブロック７０において撮影された画像信号が、カメラ信号処理部７１を介して画像表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【００７７】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【００７８】
フォーカシングやズーミングは、ＣＰＵ７５からの制御信号に基づいてレンズ駆動制御部７７がレンズ群７８の所定のレンズを移動させることにより行われる。
【００７９】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後に、再生画像信号が画像表示部７３に出力されて再生画像が表示される。
【００８０】
［まとめ］
以上に記載した通り、撮像装置１にあっては、カバー部材２７がレンズユニット２１における最も物体側に配置されたレンズ２３の外周側においてフロントパネル部３に対向して位置され、カバー部材２７の前面２８が第１の支点軸２４と第２の支点軸２５の交点２６を中心とした球面に形成されている。
【００８１】
従って、レンズユニット２１の回動位置に拘わらずフロントパネル部３とカバー部材２７の隙間が変化されることがなく、塵埃や異物の侵入を低減してレンズ２３への塵埃等の付着やレンズユニット２１の内部への塵埃等の入り込みを抑制することができる。
【００８２】
尚、レンズユニット２１の回動位置に拘わらずフロントパネル部３とカバー部材２７の隙間が変化されることがないため、外筐２の内部の構造物がカバー部材２７によって遮蔽され、外部からの外筐２の内部を視認し難く、見栄えの向上を図ることもできる。
【００８３】
また、撮像装置１にあっては、外筐２のフロントパネル部３にカバー部材２７側へ突出された環状のリブ１４が設けられているため、リブ１４によってフロントパネル部３とカバー部材２７の隙間が小さくされ、塵埃等の侵入を一層低減することができる。
【００８４】
さらに、レンズユニット２１の第１の支点軸２４を支点とした回動範囲において、リブ１４の先端面１４ａがカバー部材２７に対向して位置される。従って、レンズユニット２１の第１の支点軸２４を支点とした回動位置に拘わらずリブ１４の先端面１４ａがカバー部材２７に対向して位置されると共にリブ１４とカバー部材２７の隙間が常に一定であり、レンズユニット２１の回動位置に拘わらず塵埃等の侵入を低減することができる。
【００８５】
さらにまた、レンズユニット２１の第２の支点軸２５を支点とした回動範囲において、リブ１４の先端面１４ａがカバー部材２７に対向して位置される。従って、レンズユニット２１の第２の支点軸２５を支点とした回動位置に拘わらずリブ１４の先端面１４ａがカバー部材２７に対向して位置されると共にリブ１４とカバー部材２７の隙間が常に一定であり、レンズユニット２１の回動位置に拘わらず塵埃等の侵入を低減することができる。
【００８６】
加えて、フロントパネル部３における前面部１３の後面に拡散部１３ｂが形成されているため、カバー部材２７の前面部２８で前方へ向けて反射された光が拡散部１３ｂで拡散される。
【００８７】
従って、カバー部材２７の前面部２８で反射された光の前面部１３での再反射によるレンズ２３への入射が防止され、撮影される画像の品質の向上を図ることができる。
【００８８】
［本技術］
本技術は、以下のような構成にすることができる。
【００８９】
（１）フロントパネル部を有する外筐と、前記外筐の内部に配置され鏡筒と前記鏡筒の内部に配置された少なくとも一つのレンズとを有するレンズユニットと、前記鏡筒に取り付けられた環状のカバー部材とを備え、前記レンズユニットが光軸に直交する第１の支点軸の軸回り方向と前記光軸及び前記第１の支点軸にともに直交する第２の支点軸の軸回り方向とにぶれ補正を行うために前記外筐に対して回動可能とされ、前記カバー部材が前記レンズユニットにおける最も物体側に配置された前記レンズの外周側において前記フロントパネル部に対向して位置され、前記カバー部材の前記フロントパネル部に対向する側の面が前記第１の支点軸と前記第２の支点軸の交点を中心とした球面に形成された撮像装置。
【００９０】
（２）前記フロントパネル部に前記カバー部材側へ突出された環状のリブを設けた前記（１）に記載の撮像装置。
【００９１】
（３）前記レンズユニットの前記第１の支点軸を支点とした回動範囲において、前記リブの先端が前記カバー部材に対向して位置された前記（２）に記載の撮像装置。
【００９２】
（４）前記レンズユニットの前記第２の支点軸を支点とした回動範囲において、前記リブの先端が前記カバー部材に対向して位置された前記（２）に記載の撮像装置。
【００９３】
（５）前記カバー部材の外周が円弧状の一対の曲線部と前記一対の曲線部間にそれぞれ位置された一対の直線部とによって構成された前記（１）から前記（４）の何れかに記載の撮像装置。
【００９４】
（６）前記フロントパネル部の前記カバー部材に対向する面に前記カバー部材で反射される光を拡散する拡散部を形成した前記（１）から前記（５）の何れかに記載の撮像装置。
【００９５】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【００９６】
【図１】図２乃至図１１と共に本技術撮像装置を示すものであり、本図は、撮像装置の斜視図である。
【図２】図１とは異なる方向から見た状態で示す撮像装置の斜視図である。
【図３】撮像装置の前端部を示す概略断面図である。
【図４】ファインダーが収納位置にある状態を示す拡大斜視図である。
【図５】ファインダーが引出位置にある状態を示す拡大斜視図である。
【図６】ファインダーが引出位置において回動された状態を示す拡大斜視図である。
【図７】レンズユニットを示す概略斜視図である。
【図８】レンズユニットが回動される前の状態を示す概略断面図である。
【図９】レンズユニットが一方へ回動された状態を示す概略断面図である。
【図１０】レンズユニットが他方へ回動された状態を示す概略断面図である。
【図１１】撮像装置のブロック図である。
【符号の説明】
【００９７】
１…撮像装置、２…外筐、３…フロントパネル部、２１…レンズユニット、２２…鏡筒、２３…レンズ、２４…第１の支持軸、２５…第２の支持軸、２６…交点、２７…カバー部材、２７ａ…曲線部、２７ｂ…直線部、１００…撮像装置
【図１】
2013138377.tif 000003
【図２】
2013138377.tif 000004
【図３】
2013138377.tif 000005
【図４】
2013138377.tif 000006
【図５】
2013138377.tif 000007
【図６】
2013138377.tif 000008
【図７】
2013138377.tif 000009
【図８】
2013138377.tif 000010
【図９】
2013138377.tif 000011
【図１０】
2013138377.tif 000012
【図１１】
2013138377.tif 000013